(57)【特許請求の範囲】
【請求項１】
遠隔地に設置された複数のセンサからのセンサ情報をネットワークを介して取得し、複数種類の表示機器にそれぞれ対応して表示するためのセンサ情報の表示制御装置であって、
複数の前記センサ情報の組み合わせに応じて前記表示機器の種類、予め設定された優先度、設置場所のうちのすくなくともいずれかにそれぞれ応じた表示プログラムを選択するための表示プログラム選択手段を備え、
前記表示プログラム選択手段は、
前記表示機器から当該表示機器で表示可能なセンサ情報の要求があった場合に、当該要求に応じた前記表示プログラムを返信し、前記表示機器から当該表示機器で表示不可能なセンサ情報の要求があった場合に、当該表示機器に表示不可能であることを明示することを特徴とするセンサ情報の表示制御装置。
【請求項２】
前記表示プログラムは、前記ネットワークを介したダウンロードにより前記表示プログラム選択手段に取得されること
を特徴とする請求項１に記載のセンサ情報の表示制御装置。
【請求項３】
前記表示プログラムは、予め前記表示プログラム選択手段にインストールされていることを特徴とする請求項１に記載のセンサ情報の表示制御装置。
【請求項４】
遠隔地に設置された複数のセンサからのセンサ情報をネットワークを介して取得し、複数種類の表示機器にそれぞれ対応して表示するためのセンサ情報の表示制御方法であって、
表示プログラム選択手段において、複数の前記センサ情報の組み合わせに応じて前記表示機器の種類、予め設定された優先度、設置場所のうちのすくなくともいずれかにそれぞれ応じた表示プログラムを選択するステップを有し、
前記表示プログラム選択手段において、
前記表示機器から当該表示機器で表示可能なセンサ情報の要求があった場合に、当該要求に応じた前記表示プログラムを返信し、前記表示機器から当該表示機器で表示不可能なセンサ情報の要求があった場合に、当該表示機器に表示不可能であることを明示することを特徴とするセンサ情報の表示制御方法。
【請求項５】
前記表示プログラムは、前記ネットワークを介したダウンロードにより前記表示プログラム選択手段に取得されること
を特徴とする請求項４に記載のセンサ情報の表示制御方法。
【請求項６】
前記表示プログラムは、予め前記表示プログラム選択手段にインストールされていることを特徴とする請求項４に記載のセンサ情報の表示制御方法。
【請求項７】
遠隔地に設置された複数のセンサからのセンサ情報をネットワークを介して取得し、複数種類の表示機器にそれぞれ対応して表示するためのセンサ情報の表示制御プログラムであって、
表示プログラム選択手段において、複数の前記センサ情報の組み合わせに応じて前記表示機器の種類、予め設定された優先度、設置場所のうちのすくなくともいずれかにそれぞれ応じた表示プログラムを選択するステップをコンピュータに実行させ、
前記表示プログラム選択手段において、
前記表示機器から当該表示機器で表示可能なセンサ情報の要求があった場合に、当該要求に応じた前記表示プログラムを返信し、前記表示機器から当該表示機器で表示不可能なセンサ情報の要求があった場合に、当該表示機器に表示不可能であることを明示することをコンピュータに実行させることを特徴とするセンサ情報の表示制御プログラム。
【請求項８】
請求項７に記載のセンサ情報の表示制御プログラムを記録してコンピュータによって読み取り可能な記録媒体。
【発明の詳細な説明】
【技術分野】
【０００１】
本発明は、複数のセンサ情報と複数の表示機器を一元に制御するためのセンサ情報の表示制御装置およびその方法、プログラム、記録媒体に関する。
【背景技術】
【０００２】
従来において、設置したセンサから出力されるセンサ情報を表示機器に表示させる技術として様々なものが知られている。たとえば、人の存在や動き、あるいは環境に関する情報をセンサにより検出しセンサ情報として取得し、リアルタイムに遠隔地に居る対象者へ表示機器を介して伝達している。表示機器に表示されるセンサ情報はその内容に合わせて半明示的に表示されている（特許文献１参照）。
【特許文献１】特開２００２−３１４７０７
【発明の開示】
【発明が解決しようとする課題】
【０００３】
しかしながら、従来の技術におけるセンサ情報の表示では、たとえば人の存在や動き、または環境に関するセンサ種別ごとに個別に表示することになり、表示機器からの人の存在や動き、環境に関するセンサ情報を総合的に制御して統合的に表示することはできなかった。
【０００４】
また、従来の技術において、意味づけされたセンサ種別ごとにそれぞれ出力されるセンサ情報が表示機器において表示される際に、その一つのセンサ情報に対して一つの表示器を１対１対応で配置する必要があった。
【０００５】
本発明は上述の課題に鑑みてなされたものであり、その目的は、複数のセンサから受信した情報を複数の表示機器に表示する際に、表示機器のそれぞれに合った表示情報を生成して表示することにある。
【課題を解決するための手段】
【０００６】
課題を解決するために、請求項１に記載の本発明は、遠隔地に設置された複数のセンサからのセンサ情報をネットワークを介して取得し、複数種類の表示機器にそれぞれ対応して表示するためのセンサ情報の表示制御装置であって、複数の前記センサ情報の組み合わせに応じて前記表示機器の種類、予め設定された優先度、設置場所のうちのすくなくともいずれかにそれぞれ応じた表示プログラムを選択するための表示プログラム選択手段を備え、前記表示プログラム選択手段は、前記表示機器から当該表示機器で表示可能なセンサ情報の要求があった場合に、当該要求に応じた前記表示プログラムを返信し、前記表示機器から当該表示機器で表示不可能なセンサ情報の要求があった場合に、当該表示機器に表示不可能であることを明示することを特徴とする。
【０００７】
また、請求項２に記載の本発明は、請求項１において、前記表示プログラムは、前記ネットワークを介したダウンロードにより前記表示プログラム選択手段に取得される。
【０００８】
また、請求項３に記載の本発明は、請求項１において、前記表示プログラムは、予め前記表示プログラム選択手段にインストールされている。
【０００９】
また、請求項４に記載の本発明は、遠隔地に設置された複数のセンサからのセンサ情報をネットワークを介して取得し、複数種類の表示機器にそれぞれ対応して表示するためのセンサ情報の表示制御方法であって、表示プログラム選択手段において、複数の前記センサ情報の組み合わせに応じて前記表示機器の種類、予め設定された優先度、設置場所のうちのすくなくともいずれかにそれぞれ応じた表示プログラムを選択するステップを有し、前記表示プログラム選択手段において、前記表示機器から当該表示機器で表示可能なセンサ情報の要求があった場合に、当該要求に応じた前記表示プログラムを返信し、前記表示機器から当該表示機器で表示不可能なセンサ情報の要求があった場合に、当該表示機器に表示不可能であることを明示することを特徴とする。
【００１０】
また、請求項５に記載の本発明は、請求項４において、前記表示プログラムは、前記ネットワークを介したダウンロードにより前記表示プログラム選択手段に取得される。
【００１１】
また、請求項６に記載の本発明は、請求項４において、前記表示プログラムは、予め前記表示プログラム選択手段にインストールされている。
【００１２】
また、請求項７に記載の本発明は、遠隔地に設置された複数のセンサからのセンサ情報をネットワークを介して取得し、複数種類の表示機器にそれぞれ対応して表示するためのセンサ情報の表示制御プログラムであって、表示プログラム選択手段において、複数の前記センサ情報の組み合わせに応じて前記表示機器の種類、予め設定された優先度、設置場所のうちのすくなくともいずれかにそれぞれ応じた表示プログラムを選択するステップをコンピュータに実行させ、前記表示プログラム選択手段において、前記表示機器から当該表示機器で表示可能なセンサ情報の要求があった場合に、当該要求に応じた前記表示プログラムを返信し、前記表示機器から当該表示機器で表示不可能なセンサ情報の要求があった場合に、当該表示機器に表示不可能であることを明示することをコンピュータに実行させることを特徴とする。
【００１３】
また、請求項８に記載の本発明は、請求項７に記載のセンサ情報の表示制御プログラムを記録してコンピュータによって読み取り可能な記録媒体である。
【発明の効果】
【００１４】
本発明によれば、複数のセンサから受信した情報を複数の表示機器に表示する際に、表示機器のそれぞれに合った表示情報を生成して表示することができる。
【発明を実施するための最良の形態】
【００１５】
図１は本発明のセンサ情報の表示制御装置を説明するための構成図を示している。この図１には、センサＡ１、センサＢ２、センサＣ３と、これらセンサＡ１、センサＢ２、センサＣ３から得たセンサ情報をインターネットなどのネットワーク１４を介して受信部１５へ送信するための送信部１３と、受信部１５に接続された表示機器ａ３１、表示機器ｂ３２、表示機器ｃ３３と、ネットワーク１４に接続されたダウンロードセンタ１７が示されている。
【００１６】
また、送信部１３の構成としては、センサＡ１、センサＢ２、センサＣ３が接続されたセンサ機器情報収集機能部１０と、センサ情報収集機能部１１と、センサ情報送信機能部１２と、センサ情報変換機能部１６が備わる。さらに、受信部１５の構成としては、センサ情報受信機能部２３と、センサ情報蓄積機能部２４と、表示情報変換機能部２２と、表示機器情報保持機能部２０と、情報表示機能部２１が備わる。
【００１７】
この図１に示した構成において、複数のセンサＡ１、センサＢ２、センサＣ３から出力されたセンサ情報がセンサ情報収集機能部１１により収集される。また、センサ機器情報収集機能部１０によって複数のセンサ機器情報を収集し、収集したセンサ情報のそれぞれに対応するセンサ機器情報に基づいてセンサ情報変換機能部１６によって数値化して数値化センサ情報を生成する。そしてセンサ情報送信機能部１２によって、外部のネットワーク１４に複数の数値化センサ情報とセンサ機器情報を送信する。ここまでの処理が送信部１３において実行されている。
【００１８】
このようにして、送信部１３でセンサ情報収集機能部１１において取得されたセンサ情報を、このセンサ情報に対応するセンサ機器情報を基に数値化している。そして、数値化センサ情報とセンサ機器情報を対にした送付用センサ情報を複数にまとめた送付用センサ情報セットとして受信部１５に送信している。
【００１９】
一方、送信部１３から送信された数値化センサ情報とセンサ機器情報をネットワーク１４を介して受信する受信部１５においては、具体的にはセンサ情報受信機能部２３によって複数の数値化センサ情報とセンサ機器情報を受信する。また、複数の映像・音声・テキスト等を表示機器ａ３１、表示機器ｂ３２、表示機器ｃ３３に表示情報として表示するための情報表示機能部２１を備え、表示機器情報保持機能部２０によって複数の表示機器情報が収集される。収集した数値化センサ情報はセンサ情報蓄積機能部２４に蓄積される。この数値化センサ情報は表示情報変換機能部２２によって、それぞれ表示機器情報に基づいて表示機器ａ３１、表示機器ｂ３２、表示機器ｃ３３のそれぞれに適応した表示情報に変換される。
【００２０】
このようにして、受信部（表示プログラム選択手段）１５では、送付用センサ情報セットを送付用センサ情報ごとに数値化センサ情報とセンサ機器情報に分解している。また、複数ある機器の中から表示したい表示機器毎に対し、表示機器情報を基に、複数のセンサ機器情報の組み合わせから表示情報の変換プログラムを決定している。そして、ダウンロードセンタ１７より変換プログラム番号を通知し、ダウンロードセンタ１７から該当する変換プログラムをダウンロードし、このダウンロードした変換プログラムに基づいて、対応する複数の数値化センサ情報を表示情報に変換し、表示機器ａ３１、表示機器ｂ３２、表示機器ｃ３３にそれぞれ表示する。
【００２１】
次の図２に示すのは、センサＡ１、センサＢ２、センサＣ３と表示機器ａ３１、表示機器ｂ３２、表示機器ｃ３３との組み合わせのパターンに応じて適宜に選択されるプログラムとの関係を説明するための説明図である。
【００２２】
センサＡ１、センサＢ２、センサＣ３として、図１に示したセンサ情報受信機能部２３により送信部１３に接続され、表示機器ａ３１、表示機器ｂ３２、表示機器ｃ３３が情報表示機能部２１により受信部１５に接続されている。
【００２３】
表示機器ａ３１はセンサＡ１、センサＢ２、センサＣ３を全て表示可能である。また表示機器ｂ３２はセンサＡ１を表示せず、表示機器ｃ３３はセンサＣ３を表示しないものとする。なお、これらセンサＡ１、センサＢ２、センサＣ３と表示機器ａ３１、表示機器ｂ３２、表示機器ｃ３３の表示／非表示の関係は、本発明の実施の形態を説明するための一例であって、本発明を限定するものではない。
【００２４】
センサＡ１、センサＢ２、センサＣ３における一定時間のセンサ反応情報をセンサ情報収集機能部１１により収集する。ここで収集する際には、センサＡ１、センサＢ２、センサＣ３のそれぞれであることをセンサ機器情報収集機能部１０で判断しており、センサ機器情報と数値化センサ情報を対にして送付用センサ情報セットとし、送信部１３を介して受信部１５に送信する。
【００２５】
受信部１５は、送付用センサ情報セットを分解して、センサ機器情報による表示可能な表示機器に対応したプログラムを選択する。この場合には、表示機器ａ３１に対してはプログラム［Ｐ１７］が選択される。また、表示機器ｂ３２に対してはプログラム［Ｐ２３］が選択され、同様に表示機器ｃ３３に対してはプログラム［Ｐ３３］が選択される。
【００２６】
こうして選択されたプログラムにより、数値化センサ情報はそれぞれの表示機器において表示可能な形式に情報変換され、そして表示機器ａ３１、表示機器ｂ３２、表示機器ｃ３３において情報表示機能部２１により制御され表示される。また、表示機器ａ３１からセンサＡ１の情報として要求があった場合には、プログラム［Ｐ１１］を返信することで表示機器ａ３１からセンサＡ１の情報に限った数値化センサ情報を得ることも可能となる。
【００２７】
また、次の図３には図２に示した例とは別の一例を示している。この図３に示す例ではセンサＢ２、センサＣ３として、センサ情報受信機能部１１により送信部１３に配置され、表示機器ａ３１、表示機器ｂ３２、表示機器ｃ３３が情報表示機能部により受信部１５に配置されている。表示器ａ３１はセンサＡ１、センサＢ２、センサＣ３を全て表示可能である。また表示機器ｂ３２はセンサＡ１を表示せず、表示機器ｃ３３はセンサ３を表示しないものとする。
【００２８】
この図３に示す例では、センサＢ２、センサＣ３における一定時間のセンサ反応情報をセンサ情報収集機能部１１により収集する。ここで収集する際には、センサＢ２、センサＣ３であることをセンサ機器情報収集機能部１０で判断しており、センサ機器情報と数値化センサ情報を対にして送付用センサ情報セットとして受信部１５に送信する。
【００２９】
受信部１５は、送付用センサ情報セットを分解して、センサ機器情報による表示可能な表示機器に対応したプログラムを選択する。この場合には、表示機器ａ３１に対してはプログラム［Ｐ１６］が選択される。また、表示機器ｂ３２に対してはプログラム［Ｐ２３］が選択され、同様に表示機器ｃ３３に対してはプログラム［Ｐ３２］が選択される。こうして選択されたプログラムにより数値化センサ情報はそれぞれの表示機器において表示可能な形式に情報変換され、そして表示機器ａ３１、表示機器ｂ３２、表示機器ｃ３３において情報表示機能部２１により制御され表示される。また、表示機器ｂ３２からセンサＡ１の情報として要求があった場合には、表示可能な情報ではないので、数値化センサ情報として表示不可能であることを明示する。
【００３０】
次の図４には、送信部１３から受信部１５へ送信される送付用センサ情報セットについて更に詳しく説明するための説明図が示されている。
【００３１】
まず、送信部１３では送付用センサ情報セット２５が生成される。この送付用センサ情報セット２５は、送付用センサ情報２６、２７によって構成されている。なお、送付用センサ情報の数はここでは２つとしたが、これに限定されるものではない。
【００３２】
送付用センサ情報２６は、数値化センサ情報ＡＡとセンサ機器情報Ａの組み合わせにより構成されている。また、送付用センサ情報２７は、数値化センサ情報ＢＢとセンサ機器情報Ｂにより構成されている。
【００３３】
送信部１３から送信された送付用センサ情報セット２５は、受信部１５にて受信される。受信された送付用センサ情報セット２５は分解され、数値化センサ情報ＡＡとセンサ機器情報Ａとの組み合わせ、および、数値化センサ情報ＢＢとセンサ機器情報Ｂとの組み合わせが抽出される。
【００３４】
これらの組み合わせに対して、たとえば表示機器ａと表示機器ｃのみが配置されている場合は、表示機器情報ａと表示機器情報ｃが適用される。表示機器ａについてはセンサ機器情報Ａとゼンサ機器情報Ｂの両方が入力された場合は、プログラム［Ｐ１２］が選択され、この［Ｐ１２］により制御されて表示される。同様に表示機器ｃについては、センサ機器情報Ａとセンサ機器情報Ｂの両方が入力された場合は、プログラム［Ｐ３２］が選択され、この［Ｐ３２］により制御されて表示される。
【００３５】
次の図５に示すのは、本発明の実施の形態が適用される環境の一例を説明するための説明図である。この図５ではホームセキュリティなどのホームサービスシステムに適用した例を示しており、見守る側５２と見守られる側５３の２箇所をネットワーク１４にて接続している。また、ネットワーク１４には必要なプログラムをダウンロードさせ提供するためのセンタ（ダウンロードセンタ）１７も接続されている。
【００３６】
ここで、こうしたホームサービスシステムに関する基本的な技術的背景について説明する。このホームサービスシステムはＯＳＧｉ（Open Service Gateway Initiative）の標準仕様に則って実現されている。このＯＳＧｉ  Ａｌｌｉａｎｃｅは、Ｊａｖａ技術に基づく汎用かつオープンなソフトウェアコンポーネント技術である「ＯＳＧｉサービスプラットホーム」の仕様化と利用促進を目的とする標準化団体である。１９９９年の発足以来、日本からの数社を含め、約４０社の団体が加入している。
【００３７】
ＯＳＧｉでは、ネットワークに接続される機器のソフトウェアをバンドルと呼ばれるコンポーネントで構成し、ネットワークを介してバンドルを動的にダウンロード・更新することで、新機能の追加、カスタマイズ、および不具合の修正等を実現する。
【００３８】
主対象機器として、当初はホームゲートウェイ（ＨＧＷ）装置が想定されており、ホームオートメーションやホームセキュリティ等のアプリケーションをソフトウェアコンポーネントとして実装し、導入環境や利用者の状況にあわせた自由なアプリケーションのカスタマイズを可能としていたが、現在はカーナビゲーション等のテレマティクス分野や携帯電話等での利用を想定した仕様化も進んでいる。
【００３９】
このＯＳＧｉをホームゲートウェイの基本ソフトウェアとして導入する場合、サービスプロバイダからホームセキュリティ、オートメーションおよびＡＶ機器制御等のアプリケーションプログラムをバンドルとして必要に応じてホームゲートウェイにダウンロードする。これらダウンロードしたアプリケーションプログラムを適宜に組み合わせることで、様々なサービスに対応することが可能となる。
【００４０】
このようにＯＳＧｉフレームワークの利用によって、ホームゲートウェイにソフトウェア面でのプログラマビリティを持たせ、多様化しているホームネットワーク内環境（プロトコル、ミドルウェア）に対応している。
【００４１】
また、ホームサービスシステムにおけるＯｐＳ（オペレーションシステム）では、サービスを構成するバンドルの配布・管理に加え、サービスの設定管理、サービス加入管理、ホームゲートウェイのヘルスチェックなどを基本機能として実行している。各ＨＳＰ（ホームサービス事業者）のオペレータは、このＯｐＳにアクセスを行い、サービス管理などの業務を行う。またエンドユーザが宅外よりアクセスするページはＨＳＰによらず同一のサーバに収容する。このような構成とすることで、ＯｐＳの共用・ワンストップアクセスを実現している。
【００４２】
ＨＳＰがＳＡＰ上で自由にホームページを開発できるようにするために、Ｔａｇｌｉｂ（http://java.sun.com/products/jsp/taglibraries/index.jsp）をベースとしたプログラム部品（宅内の機器の制御機能、機器データを管理・保存・表示する機能など）をＯｐＳ上に用意し、ＨＳＰが記述言語にてこれら部品を組み合わせてＨＳＰ独自の機能（独自機能）を定義できることとされている。
【００４３】
ＯｐＳにおけるＨＳＰ間の隔離性は、基本機能については、ユーザアカウントに基づいたアクセス制御により実現している。一方、独自機能については、各部品の内部で隔離性を担保する実装とすることで隔離性を実現している。
【００４４】
このような技術的背景を前提とした図５に示すホームサービスシステムは、見守る側５２において、見守るための監視手段としてＰＣ５４やＴＶ５５、画像モニタ付きドアホン５６などが配置されている。これらの監視機器はホームゲートウェイ（ＨＧＷ）の一種としてのサービスゲートウェイ（ＳＧＷ）５０に接続され、このサービスゲートウェイ５０を介してネットワーク１４に接続されている。なお、外出先での監視を行うためにはたとえば携帯電話６３などに画面表示させる。
【００４５】
また、見守られる側５３にもサービスゲートウェイ５１が備わり、ネットワーク１４に接続している。見守られる側５３は、このサービスゲートウェイ５１に対して各種センサが接続されており、これらのセンサ群から数値化センサ情報がサービスゲートウェイ５１を介してネットワーク１４に送信される。なお、センサの設置場所の例としては、たとえば図５に示す床暖房センサ５８やお風呂センサ５７、照明センサ５９、監視カメラ６０、窓の開閉センサ６１、ガスメータ６２などである。
【００４６】
このような構成において、たとえば数値化センサ情報を出力するセンサ機器が窓の開閉センサ６１と、図示しない人感センサであり、表示器機としてはドアホン５６のモニタ画面であると仮定する。
【００４７】
まず、窓の開閉センサ６１は見守られる側５３の「居間」に設置してあり、優先度は「１」としておく。人感センサもやはり「居間」に設置してあり、優先度は「２」としておく。優先度や設置場所についての設定情報は、送信するサービスゲートウェイ５１が保持しているものとする。そして、見守られる側５３のサービスゲートウェイ５１から窓の開閉センサ６１と人感センサのそれぞれのセンサ情報が以下のような形でネットワーク１４を介して、見守る側５２のサービスゲートウェイ５０内に内蔵されたセンサ情報受信機能部２３に通知される。
【００４８】
（窓の開閉センサ、居間、１、０１０１０１００１１）
（人感センサ、居間、２、０１０１０１０１０１）
ここで、「０」と「１」は各センサが反応したセンサ主情報とする。それ以外をセンサ付属情報とする。何時から何時までセンサ主情報を収集したのかも付けて受信する。センサ情報受信機能部２３により、センサ種別である「窓の開閉センサ」「人感センサ」を抽出し、予め設定された情報変換設定に基づき、その組み合わせが満たされる対応プログラムを選択する。情報変換設定としては、たとえば「窓の開閉センサ」のみのセンサ情報入力の場合はプログラム［Ｐ１１］が選択される。また「窓の開閉センサ」と「人感センサ」の両者からセンサ情報が入力の場合はプログラム［Ｐ１２］が選択される。そして「人感センサ」からのセンサ情報入力のみである場合はプログラム［Ｐ１３］が選択されるように設定されている。
【００４９】
なお、単なるセンサの組み合わせに応じて対応プログラムを選択すること以外に、たとえば予めセンサに優先度や、あるいはセンサの設置場所などの条件を加え、それらの組み合わせによりプログラムを選択してもよい。
【００５０】
この情報変換設定に従い、たとえば「窓の開閉センサ」と「人感センサ」の両者からセンサ情報が入力された場合の対応プログラムは［Ｐ１２］が選択される。ここで選択されるプログラムは予めインストールされたものの中から選択されるが、このプログラム［Ｐ１２］がまだサービスゲートウェイ５０にダウンロードされていない場合には、センタ１７から［Ｐ１２］をネットワーク１４を介してダウンロードし取得する。
【００５１】
サービスゲートウェイ５０が受信した複数のセンサ情報は、センサ主情報とセンサ付属情報をダウンロードされた対応プログラムへ入力され、情報変換設定に従い表示情報変換される。その後、情報表示機能部２１に通知して、窓の開閉センサ６１と人感センサの情報を総合的な情報として、表示機器であるドアホン５６に表示する。
【００５２】
なお、情報変換設定は表示機器ごとに異なるため、表示機器情報保持機能部２０により表示機器の情報を保存している。また、表示機器における表示方法はドアホン５６のように画像表示するもの以外に、たとえば振動や点滅信号のみで知らせる表示方法のものもある。これら単一の反応しか持たない表示機器に対しても対応プログラムによって駆動され、たとえば振動の回数やパターン、点滅信号のパターンや周期などを変えて意味のあるメッセージとしている。
【００５３】
また、ダウンロードして取得した対応プログラムや、表示機器側からの時間、およびセンサ機器種別ごとの主情報を受信したい場合に、センサ情報蓄積機能部２４に受信した情報は保存される。ただし、対応プログラム以外については一定期間が過ぎたら削除する。
【００５４】
次の図６は、対応プログラムにおける表示情報の組み合わせについての一例を示している。
【００５５】
この図６において、センサ主情報としてセンサ付属情報を受信し、それらの情報を対応プログラム内において、対象物の情報としてどのように表示させるかを（ａ）〜（ｄ）に示す。対象物の「大きさ」「数」「色」「形」「スピード」といった情報をセンサ情報として受信し、その受信したセンサ情報を（ａ）〜（ｄ）にそれぞれ示すように何に対応付けるかによって、表示機器における対象物の表示方法を変化させている。
【００５６】
以上説明した本発明の実施の形態においては、複数のセンサ情報を表示機器毎に変換できる変換プログラムを選定し、表示機器に対して複数のセンサ情報を「色」「形」など１つ以上の情報として表示しており、複数のセンサ情報を盛り込んだ総合的な表示を可能にしている。
【００５７】
また、ＯＳＧｉ技術を用いたＳＧＷ（ＨＧＷ）を利用することで、新しいセンサ機器・表示機器の登録／削除により、機器に関するプログラムのダウンロードを可能にしている。
【００５８】
また、サービスアグリゲーションプラットホーム（ＳＡＰ）を利用することで、ＯｐＳにより表示機器にセンサ情報を表示可能にする対応プログラムをネットワークを介してダウンロード可能としている。
【００５９】
また、対応プログラムは、情報変換設定に伴い、ネットワーク内にあるセンタからダウンロードすることができ、あるいは表示機器に対応したプログラムを全てセンサ受信側に保存しておくこともできる。
【００６０】
また、センサ情報に限定することはなく、鍵の開け閉め情報やガスの使用（給湯器、コンロ）情報、エアコンの使用情報、照明の使用情報、床暖房の使用情報、水道の使用情報などの情報を組み合わせて表示機器に対して表示することも可能にしている。
【００６１】
このような構成による本発明の実施の形態によれば、一定時間においてセンサ情報発信者における複数のセンサ情報を収集することで、センサ情報発信者の反応を多く収集でき、センサ種別と表示機器の組み合わせによるプログラムを選択することで、センサ情報発信者の状態を把握したいセンサ情報受信者に対して、複数の表示機器に対して１つ以上の情報として提供することができる。
【００６２】
また、ネットワークを介して、複数のセンサ情報を取得することで、センサ情報をセンサ情報発信者の動きとして統合的に確認できるシステムを実現でき、複数のセンサ情報を統括的に、センサ情報発信者を１つの擬似キャラクタの動作に適合させるといった半明示的な情報の元になり、受信者に対してセンサ情報発信者の動き度合いを把握することで安心感や話すきっかけを与えることができる。
【００６３】
また、見守りサービスとして、ネットワークを介することで日常的に見守られる側の情報を見守る側に総合的に判明示的に表示することが可能になる。逆に、緊急時には、緊急性をＨＧＷが優先度を認識することで、表示機器に対して一斉に表示方法を統一することも可能であり、表示機器における表示も制御することができる。
【００６４】
また、複数のセンサから受信した情報を複数の表示機器に表示する際に、表示機器のそれぞれに合った表示情報を生成して表示することができる。
【図面の簡単な説明】
【００６５】
【図１】本発明のセンサ情報の表示制御装置を説明するための構成図を示す。
【図２】センサと表示機器との組み合わせのパターンに応じて適宜に選択されるプログラムとの関係を説明するための説明図を示す。
【図３】センサと表示機器との組み合わせのパターンに応じて適宜に選択されるプログラムとの関係の別の一例を示す。
【図４】送信部から受信部へ送信される送付用センサ情報セットについて更に詳しく説明するための説明図を示す。
【図５】本発明の実施の形態が適用される環境の一例を説明するための説明図を示す。
【図６】対応プログラムにおける表示情報の組み合わせについての一例を示す。
【符号の説明】
【００６６】
１…センサＡ
２…センサＢ
３…センサＣ
１０…センサ機器情報収集機能部
１１…センサ情報収集機能部
１２…センサ情報送信機能部
１３…送信部
１４…ネットワーク
１５…受信部
１６…センサ情報変換機能部
１７…ダウンロードセンタ
２０…表示機器情報保持機能部
２１…情報表示機能部
２２…表示情報変換機能部
２３…センサ情報受信機能部
２４…センサ情報蓄積機能部
３１…表示機器ａ
３２…表示機器ｂ
３３…表示機器ｃ
【図１】
0004881898.tif 000002
【図２】
0004881898.tif 000003
【図３】
0004881898.tif 000004
【図４】
0004881898.tif 000005
【図５】
0004881898.tif 000006
【図６】
0004881898.tif 000007